(57)【要約】【課題】本発明は、騒音を低減した回転鋸を提供することである。【解決手段】円板状体と当該円板状体の外周の刃部との中間領域にスリットが形成されている回転鋸において、前記スリットは蛇行路を有し、前記蛇行路によって互いに対向して配置している各スリットは、前記円板状体の厚み方向に対して傾斜面を有するとともに当該互いに対向するスリットの傾斜面は互いに平行または非平行であり、円板状体の一主面側のスリット開口部から円板状体の主面に対して垂直方向に見たとき対向する他主面のスリット開口部が確認できないことを特徴とする。【選択図】図１
2019155582.tif 000002
【特許請求の範囲】
【請求項１】
円板状体と、前記円板状体の外周に有する刃部と、前記円板状体の領域であって、前記円板状体の中心と前記刃部の中間領域に設けられ、円板状体の表裏面を貫通するスリットとからなり、
前記スリットは蛇行路を有し、前記蛇行路によって互いに対向して配置している各スリットは、前記円板状体の厚み方向に対して傾斜面を有するとともに当該互いに対向するスリットの傾斜面は互いに平行または互いに非平行であり、円板状体の一主面側のスリット開口部から円板状体の主面に対して垂直方向に見たとき対向する他主面のスリット開口部が確認できないことを特徴とする回転鋸。
【請求項２】
ベース部と、前記ベース部に対して支持されている丸鋸本体とよりなり、前記丸鋸本体は電動機と、前記電動機により回転駆動される回転鋸とより構成される電動工具であって、
前記回転鋸は、円板状体と、前記円板状体の外周に有する刃部と、前記円板状体の領域であって、前記円板状体の中心と前記刃部の中間領域に設けられ、円板状体の表裏面を貫通するスリットとからなり、
前記スリットは蛇行路を有し、前記蛇行路によって互いに対向して配置している各スリットは、前記円板状体の厚み方向に対して傾斜面を有するとともに当該互いに対向するスリットの傾斜面は互いに平行または互いに非平行であり、円板状体の一主面側のスリット開口部から円板状体の主面に対して垂直方向に見たとき対向する他主面のスリット開口部が確認できないことを特徴とする電動工具。
【請求項３】
加工材を載置するテーブルと、
前記テーブルの隙間から突出する回転鋸と、
前記回転鋸を回転させる電動機と、を備え、
前記テーブルと前記回転鋸との相対的な移動により前記加工材を切断する回転鋸を備えた工作機械において、
前記回転鋸は、円板状体と、前記円板状体の外周に有する刃部と、前記円板状体の領域であって、前記円板状体の中心と前記刃部の中間領域に設けられ、円板状体の表裏面を貫通するスリットとからなり、
前記スリットは蛇行路を有し、前記蛇行路によって互いに対向して配置している各スリットは、前記円板状体の厚み方向に対して傾斜面を有するとともに当該互いに対向するスリットの傾斜面は互いに平行または互いに非平行であり、円板状体の一主面側のスリット開口部から円板状体の主面に対して垂直方向に見たとき対向する他主面のスリット開口部が確認できないことを特徴とする回転鋸を備えた工作機械。
【発明の詳細な説明】
【発明の詳細な説明】
【技術分野】
【０００１】  この発明は、木材、金属、石材等の削材を切断する回転鋸に関し、特に、切断加工時に発生する騒音を低下させることができる回転鋸、この回転鋸を用いた電動工具および回転鋸を備えた工作機械に関するものである。
【背景技術】
【０００２】  回転鋸は、円板状の基板（台板）と、基板外周縁に形成された複数の歯から構成されている。この回転鋸を用いて木材、金属、石材等の被加工材を切断加工すると騒音が発生し、その騒音が近隣に与える影響が大きく、騒音低下、騒音改善などが要求されている。【０００３】  回転鋸の騒音原因は、回転する鋸刃と被削材との摩擦によって鋸刃及び被削材が振動することにある。この振動により発生する騒音を抑制することは困難である。特に、鋸刃と被削材の摩擦抵抗の変動によって発生する振動は回転鋸の固有振動数と一致すれば振動が大きくなり、それによって騒音も大きくなる。このような回転鋸の騒音を低減するために様々な提案が従来よりなされている。【０００４】  例えば、特開２０００−１２０７７７に制振機能を有する丸鋸が開示されている。この丸鋸は丸鋸台金の外周全周にわたって複数の刃体が設けられており、この各刃体には超合金の鋸刃がろう付けされている。この丸鋸の特徴は、丸鋸の中間域に幅１ｍｍ〜０．１ｍｍのスリットを形成し、該スリットに粒子を充填して制振効果を得ることを特徴としている。【０００５】  具体的な構成としては、丸鋸台金の中間域に両端が開口しないスリットが設けられており、このスリット内に具体的には磁化された粒子が充填されたものである。
このような構成によれば、スリット内に粒子を充填させたので粒子がスリット側面と擦れ合ったり、または粒子相互が擦れ合うことにより振動エネルギーを減少し振動が抑制される。またスリットの幅寸法を１ｍｍ〜０．１ｍｍとなしたので、粒子が完全にスリット内に入り込み、また脱落し難くなり、充分なる制振効果を得られるとしている。【０００６】  しかしながら、丸鋸合金にスリットを設け、このスリットに粘弾性材を充填した後に、基板表面に低摩擦材料を形成しようとすると、低摩擦材料の形成の際の加熱により充填材が溶融するという問題が生じた。またスリットを設けた後に、先に低摩擦材料を形成し、その後粘弾性材を充填すると、充填したものが抜け落ちてしまうという問題があることが判明した。即ちスリット内に形成される低摩擦材のために粘弾材が強固にスリット内に固着されずに抜け落ちてしまうという現象である。
【先行技術文献】
【特許文献】
【０００７】
【特許文献１】特開２０００−１２０７７７号公報
【発明の概要】
【発明が解決しようとする課題】
【０００８】  この発明の目的は上記のような問題を解決した回転鋸を提供することにあり、加工時に発生する回転円板の騒音の一層の低減を図るために、回転鋸の本体そのものに工夫を施したものである。
【課題を解決するための手段】
【０００９】  上記の目的を達成する第１の発明は、
円板状体と、前記円板状体の外周に有する刃部と、前記円板状体の領域であって、前記円板状体の中心と前記刃部の中間領域に設けられ、円板状体の表裏面を貫通するスリットとからなり、
前記スリットは蛇行路を有し、前記蛇行路によって互いに対向して配置している各スリットは、前記円板状体の厚み方向に対して傾斜面を有するとともに当該互いに対向するスリットの傾斜面は互いに平行または互いに非平行であり、円板状体の一主面側のスリット開口部から円板状体の主面に対して垂直方向に見たとき対向する他主面のスリット開口部が確認できないことを特徴とする回転鋸である。【００１０】  さらに、上記の目的を達成する第２の発明は、
ベース部と、前記ベースに対して支持されている丸鋸本体とよりなり、前記丸鋸本体は電動機と、前記電動機により回転駆動される回転鋸とより構成される電動工具であって、
前記回転鋸は、円板状体と、前記円板状体の外周に有する刃部と、前記円板状体の領域であって、前記円板状体の中心と前記刃部の中間領域に設けられ、円板状体の表裏面を貫通するスリットとからなり、
前記スリットは蛇行路を有し、前記蛇行路によって互いに対向して配置している各スリットは、前記円板状体の厚み方向に対して傾斜面を有するとともに当該互いに対向するスリットの傾斜面は互いに平行または互いに非平行であり、円板状体の一主面側のスリット開口部から円板状体の主面に対して垂直方向に見たとき対向する他主面のスリット開口部が確認できないことを特徴とする電動工具である。
【発明の効果】
【００１１】  この発明によれば、切断抵抗、振動抵抗の低減が可能となるので、回転鋸と被切断材との間で発生する騒音が小さくなり、騒音低減効果を可能にするという利点がある。
【図面の簡単な説明】
【００１２】
【図１】この発明に係る回転鋸の一実施形態を示す概略構成図である。
【図２】この発明に係る回転鋸のスリットを含む円板状体の一例を示す一部断面図である。
【図３】この発明に係る回転鋸のスリットを含む円板状体の他の例を示す一部断面図である。
【図４】この発明に係る回転鋸にスリットを形成する状態を示す概略図である。
【図５】この発明に係る回転鋸を用いた電動工具を示す概略斜視図である。
【図６】この発明に係る回転鋸を備えた工作機械の一実施形態を示す斜視図である。
【図７】この発明に係る回転鋸を備えた工作機械の他の実施形態を示す斜視図である。
【発明を実施するための最良の形態】
【００１３】  以下、この発明の最良の実施形態について、図１を参照して説明する。
図１において、回転鋸本体１０は、ステンレス等よりなる円板状体１１と、その円板状体１１の外周に沿って一定の間隔で形成されている多数の刃部１２とから構成されている。円板状体１１の中心には取付け穴１３が形成されている。【００１４】  円板状体１１にはその外周から内方に向けてスリット１４が蛇行状に設けられている。これらのスリット１４は円板状体１１の中心から半径方向に伝播する振動と、円板状体１１の円周方向に沿って伝播する振動の両方を抑制できるような位置に複数個形成されている。【００１５】  円板状体１１において、この円板状体１１の中心と刃部１２の中間領域に設けられ、円板状体１１の表裏面を貫通するスリット１５が設けられている。
図２はこの発明に係る回転鋸の一例であり、図１の円板状体１１のＡ−Ａ線の断面図を示しており、スリット１５を含む円板状体１１の一部断面図である。
この図２において、スリット１５は蛇行路を有しており、この蛇行路により互いに対向した各スリット１５が配置形成されている。この図２に示すスリット１５は円板状体１１の厚み方向に対して傾斜面を有している。具体的には、スリット１５は円板状体１１の表面側１１ａから裏面側１１ｂに向かって互いに平行である。【００１６】  このスリット１５は、図２から明らかなように、円板状体１１の一主面側のスリット開口部ＯＰ１側から円板状体１１の主面に対して垂直方向に見たとき、他方主面のスリット開口部ＯＰ２が確認できない構成になっている。【００１７】  このような構成によれば、上記した構成により、回転鋸本体１０と被削材との摩擦により生ずる円板状体１１の振動を減衰させることができ、円板状体１１の円周方向に沿って伝播する振動及び半径方向に伝播する振動を減衰させ、騒音を低減することが可能になる。また、振動が減衰することで、切断や切削にかかわる刃先が振れ幅がより少ない状態で同一の軌道を通過することになる。したがって、切り代の幅も増大するということがなく、切断位置のバラツキが少なくなり、鋸刃の交換サイクルを延ばすことが可能となる。
なお、図２においては、各スリットはその穴の中心と隣接するスリットの穴の中心との距離は、図２に示すように、ｄ４＞ｄ３＞ｄ２＞ｄ１となるように設けられている。
また、スリット１５には粘弾性樹脂を充填してもよい。スリット１５は斜め方向に形成されているから、円板状体１１の主面に対して直角に入るスリットよりも樹脂の充填量が増加し、より制振効果が発揮される。この粘弾性樹脂としてはポリウレタン系樹脂、ポリエステル系樹脂、エポキシ系樹脂等が用いられる。【００１８】  図３はこの発明に係る回転鋸の他の例であり、図１の円板状体１１のＡ−Ａ線の断面図を示しており、スリット１５を含む円板状体１１の一部断面図である。
図３において、スリット１５は蛇行路を有しており、この蛇行路により互いに対向して配置している各スリット１５が形成されている。この図３に示すスリット１５は円板状体１１の厚み方向に対して傾斜面を有している。具体的には、各スリット１５は円板状体１１の表面側１１ａから裏面側１１ｂに向かって互いに非平行である。【００１９】  このスリット１５は、図３から明らかなように、円板状体１１の一主面側のスリット開口部ＯＰ１側から円板状体１１の主面に対して垂直方向に見たとき、他方主面のスリット開口部ＯＰ２が確認できない構成になっている。ここで、各スリットはその穴の中心と隣接するスリットの穴の中心との距離は、図３に示すように、ｄ４＞ｄ３＞ｄ２＞ｄ１となるように設けられている。【００２０】  上記した構成により、図２に示した円板状体の一例と同様に、回転鋸本体１０と被削材との摩擦により生ずる円板状体１１の振動を減衰させることができ、円板状体１１の円周方向に沿って伝播する振動及び半径方向に伝播する振動を減衰させ、騒音を低減することが可能になる。
なお、スリット１５には粘弾性樹脂を充填してもよい。この粘弾性樹脂としてはポリウレタン系樹脂、ポリエステル系樹脂、エポキシ系樹脂等が用いられる。
また、図示していないが、スリット１５を図２に示すスリット１５と図３に示すスリット１５を組み合わせた構成としても良い。【００２１】  次にこの発明に係る回転鋸の製作について図４を参照して説明する。
まず円板状体１１を準備する。円板状体１１としては、例えば次のようなものが用いられる。つまり、合金工具鋼、炭素工具鋼等の鋼板材により円板状体が構成されており、その外周部の鋸歯状の刃先を円周方向に等ピッチで形成し、各刃先は超硬合金で構成されたものが用いられる。【００２２】  次に、レーザー装置ＲＥにより円板状体１１にレーザ光Ｌにより複数のスリット１５が形成される。スリット１５は連続的な曲線と直線とを組み合わせた形状、つまり蛇行路を有し、この蛇行路によって互いに対向して配置している。各スリット１５は、円板状体１１の厚み方向に対して傾斜面を有するとともに互いに対向するスリット１５の傾斜面は互いに平行または非平行であり、幅が０．２ｍｍ〜０．５ｍｍ程度に形成される。またスリット１５の長さは、円板状体１１の強度を勘案して適宜選定される。【００２３】  スリット１５の形状は蛇行状とするが、図示したＵ字型の蛇行状のほかに、例えばＺ字型の蛇行状であってもよい。
なお、円板状体１１の振動が半径方向及び円周方向に伝播することを考慮すると、スリットの少なくとも一部を円板状体１１の中心から円周縁部の方向に向けて延在させ、一部は円周方向に沿って延在させても良い。
この円板状体１１は焼入れ、焼戻しの熱処理が行われ、平面研削加工が行われる。さらに各刃先に超硬合金を接合する工程が実施される。【００２４】  次に、この回転鋸を用いた電動工具の一実施形態について説明する。図５はこの発明に係る電動工具の斜視図を示す。なお、図１〜図３で示されている各構成については同じ符号を付している。【００２５】  図５において、電動工具２０は、この電動工具２０を切断すべき被削材の上面に載せるベース部２１と、このベース２１に回動可能なように回動可能なように取り付けられている回転鋸本体１０とから構成されている。
より詳細には、回転鋸本体１０はモーター２４の回転軸（図示せず）に回動自在に支持されている。このモーター２４は支持部２２に回転鋸本体１０の上部を覆うカバーケース２３を介して回動可能に取り付けられている。なお、２５はハンドルであり、カバーケース２３、モーター２４と一体となっており、支持部２２を支点に回転鋸本体１０をすることができる。回動円板状体１１の刃部１２の下部には安全カバー２６が配置されており、ハンドル２５の操作と同期して回動する。また、ベース部２１には平行ガイド２７が水平方向に移動可能なようにセッティングされている。【００２６】  なお、回転鋸本体１０側には図示していないギヤケースが設けられ、このギヤケース内にはモーター２４の回転を減速させるための歯車が内蔵されている。モーター２４の回転は歯車を介して円板状体１１に伝達され、円板状体１１の回転により被削材を切断することができる。【００２７】  次に、回転鋸を備えた工作機械に関するものである。この工作機械について以下に実施形態を説明する。
図６は工作機械の一実施形態を示す斜視図であり、図７は工作機械の他の実施形態を示す斜視図である。【００２８】  まず、図６に示す工作機械の一実施形態について説明する。
この図６において、工作機械１００は枠体１０１と、テーブル１０２とからなり、枠体１０１は床などの設置面に立設され、この枠体１０１には、枠状になっているが、被加工材（図示せず）を載置するテーブル１０２を備えている。【００２９】  このテーブル１０２には矢印Ｙ１で示すように上下双方向に移動する電動鋸ユニット１０３が備え付けられている。この電動鋸ユニット１０３は電動機１０４とこの電動機１０４により回転する回転鋸１０５を備えている。この回転鋸１０５は図１に示した回転鋸１０が用いられている。【００３０】  また、このテーブル１０２には図６に示すように被加工材をＸ１方向に移動させる移動ユニット１０６がセットされている。より詳細には、この移動ユニット１０６は、被加工材をＸ１方向に移動させる移動用駆動部１０７と、この被加工材を押える押圧固定バー１０８と、レール１０９を備えている。
この工作機械１００によっても、回転鋸１０７は先に説明したように図１に示した回転鋸１０を用いており、振動が減るとともに騒音も低減させることができる。【００３１】  次に、図７に示す工作機械の他の実施形態について説明する。
この図７において、工作機械２００は、テーブル２０１上に矢印Ｙ２で示すように双方向に移動する電動鋸ユニット２０２が備え付けられている。この電動鋸ユニット２０２は図示されていない電動機とこの電動機により回転する回転鋸２０３を備えている。この回転鋸２０３には図１に示した回転鋸１０が用いられている。【００３２】  また、このテーブル２０１には図７に示すように被加工材ＷをＸ２方向に移動させる移動ユニット２０４がセットされている。より詳細には、この移動ユニット２０４は、被加工材ＷをＸ２方向に移動させる移動用駆動部２０５と、移動用駆動部２０５が被加工材ＷをＸ２方向に移動させる移動量を測定するエンコーダ２０６と、被加工材Ｗの位置決め装置２０７とを備えている。なお、テーブル２０１には回転鋸２０３の刃先が移動可能になるように溝２０８が設けられている。
この工作機械２００により、回転鋸２０３は先に説明したように図１に示した回転鋸１０を用いることから、振動が減るとともに騒音も低減させることができる。【００３３】  以上、この発明の各実施形態について説明したが、この発明はこれらの実施形態に限定されるものではない。この発明の基本的な概念を変更することなく図示されたもの以外の形状に変更することは容易であり、この発明はこれらの予想される変形例もその範囲に含むものである。
【符号の説明】
【００３４】１０    回転鋸本体
１１    円板状体
１２    刃部
１３    取付け穴
１４    スリット
１５    スリット
２０    電動工具
２１    ベース部
２２    支持部
２４    モーター
２５    ハンドル
【図１】
2019155582.tif 000003
【図２】
2019155582.tif 000004
【図３】
2019155582.tif 000005
【図４】
2019155582.tif 000006
【図５】
2019155582.tif 000007
【図６】
2019155582.tif 000008
【図７】
2019155582.tif 000009